(57)【要約】      （修正有）【課題】磁石が使用者の皮膚に直接接触せず、また、磁石を使用していることに対する違和感がなく、さらに、製造に手数が掛からない水分除去シートを提供する。【解決手段】水分除去シートＡは、貼着固定シート２０と、磁石３０と、袋体１０とから構成され、前記袋体１０の内部には天然素材からなる粉末体であって吸水性を有する粉末を含む粉末体が収納されており、貼着固定シート２０の貼着面２０ａに磁石３０を貼着し、当該磁石３０を挟むようにして、貼着固定シート２０の貼着面２０ａに袋体１０を貼着し、使用者の皮膚面に貼付するものである。【選択図】図１
0003221714.tif 000002
【実用新案登録請求の範囲】
【請求項１】
適宜形状の貼着固定シートの貼着面に適宜形状の磁石が貼着されており、
当該磁石を挟むようにして、貼着固定シートの貼着面に適宜形状の袋体が貼着されて構成され、
前記袋体の内部には、天然素材からなる粉末体であって吸水性を有する粉末を含む粉末体が収納されてなる
ことを特徴とする水分除去シート。
【請求項２】
貼着固定シートと、磁石と、袋体とから構成され、
前記貼着固定シートは、外面側が非貼着面であり、内面側が貼着面であって、貼着面には剥離紙が貼着されており、
前記袋体は、密閉袋に封入された前記貼着固定シートより小面積の偏平な形態をなすものであって、袋体の内部には天然素材からなる粉末体であって吸水性を有する粉末を含む粉末体が収納されており、
前記磁石は、前記袋体より小面積であって、薄型の形態をなしており、
剥離紙を剥がした貼着固定シートの貼着面の内方に磁石を貼着し、当該磁石を挟むようにして、貼着固定シートの貼着面の内方に密閉袋から取り出した袋体を貼着し、その状態において袋体が貼着されていない貼着固定シートにおける外周部の貼着面を使用者の皮膚面に貼付する
ことを特徴とする水分除去シート。
【請求項３】
前記袋体は、
その外皮が不織布から構成された矩形の袋であり、
当該袋体の内部には、糖、木質素、大豆粉末、ゲルマニウム、ヨモギ末、クチナシ果実、アサ種子、ナツメ果実、ハッカ、ダイダイ果実、カンゾウ、ショウガ、ベニバナ、ミツカトウのうちのいずれか１種又は複数種が収納されている
ことを特徴とする請求項１又は２に記載の水分除去シート。
【請求項４】
前記磁石は、薄い円板状のネオジム磁石又はフェライト磁石である
ことを特徴とする請求項１〜３のいずれか１項に記載の水分除去シート。
【請求項５】
前記貼着固定シートは、
基材がポリエステルシートであり、
貼着面における粘着剤がアクリル系粘着剤であり、
剥離紙が上質紙とポリエチレンとシリコーンとからなる積層シートである
ことを特徴とする請求項１〜４のいずれか１項に記載の水分除去シート。
【請求項６】
前記磁石は、前記貼着固定シートに磁石を貼着し、その磁石の上から袋体を当該貼着固定シートに貼着した状態において、磁石が位置するのとは反対側の袋体側で測定した磁束密度が４０ミリテスラ以上で１００ミリテスラ以下である
ことを特徴とする請求項１〜５のいずれか１項に記載の水分除去シート。
【考案の詳細な説明】
【技術分野】
【０００１】
本考案は、使用者の皮膚面に貼付して、皮膚面上に存在する水分を吸収除去するための水分除去シートに関する。
【背景技術】
【０００２】
従来より下記特許文献に示されるようなシートが考案されている。
【０００３】
特許文献１には、貼着シートを利用して使用者の肌面に着脱可能に貼付する磁気治療器において、前記磁気治療器が、堆積鉱物を微粉砕した微細な鉱物粉体を焼結して作られ、前記使用者の体温によって温められて前記肌面に遠赤外線を放射する遠赤外線放射材と、前記遠赤外線放射材の中央部に固定され、前記肌面に磁力線を発する少なくとも１つの永久磁石とを含み、前記遠赤外線放射材が、前記貼着シートの貼着面に貼付された平面形状が略円形の固定面と、前記使用者の肌面に当接する平面形状が略円形の当接面と、前記固定面および前記当接面の間に延びる周面とを有し、前記永久磁石が、前記遠赤外線放射材の当接面から固定面に向かって該遠赤外線放射材の内部に埋め込まれた固定部と、前記遠赤外線放射材の当接面から露出する露出部とを有する磁気治療器が開示されている。
【０００４】
また、特許文献２には、使用者の肌面に着脱可能に貼付するシート状健康増進具において、前記シート状健康増進具が、粘着面および非粘着面を有して前記粘着面が前記使用者の肌面に貼付される所定面積の粘着シートと、肌非当接面および肌当接面を有して前記肌非当接面が前記粘着シートの粘着面に貼付される包装材と、前記包装材の内部に収容された収容成分と、前記包装材の肌当接面に固着された少なくとも１つの磁気発生材とから形成され、前記包装材の肌非当接面が、所定面積の不通気不透液性シートから作られ、前記包装材の肌当接面が、所定面積の通気透液性繊維不織布から作られ、前記収容成分が、前記肌面から発散されて前記通気透液性繊維不織布を透過した汗を吸収して液状に変わるデキストリン粉末を含むシート状健康増進具が開示されている。
【先行技術文献】
【特許文献】
【０００５】
【特許文献１】実用新案登録第３１７８６０５号公報
【特許文献２】特開２０１６−１１９９４４号公報
【考案の概要】
【考案が解決しようとする課題】
【０００６】
しかしながら、特許文献１に開示の発明は、前記永久磁石を遠赤外線放射材の当接面から固定面に向かって該遠赤外線放射材の内部に埋め込むものであるため、永久磁石が肌に直接接触するので肌に対して違和感を覚えさせるおそれがある。また、永久磁石を遠赤外線放射材の内部に埋め込む製造上の手間があった。
【０００７】
また、特許文献２に開示の発明は、前記磁気発生材を肌当接面に固着しているため、使用者の肌に直接接触するものであるので、肌に対して違和感を覚えさせるおそれがある。また、磁気発生材を包装材に固着する製造上の手間があった。
【０００８】
そこで、本考案者は、鋭意研究を重ね、磁石が使用者の皮膚に直接接触せず、また、磁石を使用していることに対する違和感がなく、さらに、製造に手数が掛からない水分除去シートを考案した。
【課題を解決するための手段】
【０００９】
本考案の請求項１に係る水分除去シートは、適宜形状の貼着固定シートの貼着面に適宜形状の磁石が貼着されており、当該磁石を挟むようにして、貼着固定シートの貼着面に適宜形状の袋体が貼着されて構成され、前記袋体の内部には、天然素材からなる粉末体であって吸水性を有する粉末を含む粉末体が収納されてなることを特徴とする。
【００１０】
本考案の請求項２に係る水分除去シートは、貼着固定シートと、磁石と、袋体とから構成され、前記貼着固定シートは、外面側が非貼着面であり、内面側が貼着面であって、貼着面には剥離紙が貼着されており、前記袋体は、密閉袋に封入された前記貼着固定シートより小面積の偏平な形態をなすものであって、袋体の内部には天然素材からなる粉末体であって吸水性を有する粉末を含む粉末体が収納されており、前記磁石は、前記袋体より小面積であって、薄型の形態をなしており、剥離紙を剥がした貼着固定シートの貼着面の内方に磁石を貼着し、当該磁石を挟むようにして、貼着固定シートの貼着面の内方に密閉袋から取り出した袋体を貼着し、その状態において袋体が貼着されていない貼着固定シートにおける外周部の貼着面を使用者の皮膚面に貼付することを特徴とする。
【００１１】
本考案の請求項３に係る水分除去シートは、上記請求項１又は２の水分除去シートの構成に加え、前記袋体は、その外皮が不織布から構成された矩形の袋であり、当該袋体の内部には、糖、木質素、大豆粉末、ゲルマニウム、ヨモギ末、クチナシ果実、アサ種子、ナツメ果実、ハッカ、ダイダイ果実、カンゾウ、ショウガ、ベニバナ、ミツカトウのうちのいずれか１種又は複数種が収納されていることを特徴とする。
【００１２】
本考案の請求項４に係る水分除去シートは、上記請求項１〜３のいずれかの水分除去シートの構成に加え、前記磁石は、薄い円板状のネオジム磁石又はフェライト磁石であることを特徴とする。
【００１３】
本考案の請求項５に係る水分除去シートは、上記請求項１〜４のいずれかの水分除去シートの構成に加え、前記貼着固定シートは、基材がポリエステルシートであり、貼着面における粘着剤がアクリル系粘着剤であり、剥離紙が上質紙とポリエチレンとシリコーンとからなる積層シートであることを特徴とする。
【００１４】
本考案の請求項６に係る水分除去シートは、上記請求項１〜５のいずれかの水分除去シートの構成に加え、前記磁石は、袋体に貼着した状態において、磁石の貼着側とは反対側で測定した磁束密度が４０ミリテスラ以上で１００ミリテスラ以下であることを特徴とする。
【考案の効果】
【００１５】
本考案に係る水分除去シートは、上記の構成よりなるので、貼着固定シート、磁石、袋体を個別にし、使用者が使用する際に貼着固定シートに磁石を貼着し、かつ、袋体を貼着して使用するので、従来のように、磁石を固着したり埋め込んだりする必要はなく、製造の手数が省けて製造コストを低減できる。
【００１６】
また、磁石は貼着固定シートと袋体との間に挟まれるように構成されるので、磁石が使用者の皮膚に接触することはなく、粉末体を収納した袋体がクッション材となるため使用者に違和感を覚えさせるようなことない。
【００１７】
さらに、袋体には、吸水性を有する粉末体を収納したので、水分除去シートの貼付部位における汗などの皮膚上の余分な水分が吸収されるので皮膚面がさっぱりする。
【００１８】
さらにまた、磁石を使用したことにより、水分除去シートの貼付部位の血行が改善されて、こりや疲労の解消が期待できる。
【図面の簡単な説明】
【００１９】
【図１】本考案の実施例に係る水分除去シートの作成状態を示す分解斜視図である。
【図２】本考案の実施例に係る水分除去シートの袋体が密閉袋に封入されている状態を示す斜視図である。
【図３】本考案の実施例に係る水分除去シートの袋体の一部を切欠して内部の粉末体が見えるように表した斜視図である。
【図４】本考案の実施例に係る水分除去シートの貼着固定シートの積層構造を示す概略一部拡大断面図である。
【図５】本考案の実施例に係る水分除去シートを作成し終わった状態を示す概略平面図である。
【図６】図５の概略中央縦断面図である。
【図７】本考案の実施例に係る水分除去シートを作成し終わって、皮膚面に貼付しようとする状態を表した斜視図である。
【考案を実施するための形態】
【００２０】
以下に本考案の好適な実施例１を図１〜図７に基づいて詳細に説明する。
【実施例１】
【００２１】
図１に示す１０は袋体であり、２０は貼着固定シートであり、３０は磁石であり、図の矢符で示すように、磁石３０は貼着固定シート２０の貼着面２０ａに貼着され、その上から袋体１０により磁石３０が挟まれるようにして袋体１０が貼着固定シート２０の貼着面２０ａに貼着される。これら袋体１０、貼着固定シート２０、磁石３０により、水分除去シートＡが構成される。
【００２２】
袋体１０は、貼着固定シート２０より小面積の偏平な矩形の形態をなす。そして、袋体１０は、図２に示すように、不使用時には透明な密閉袋１１により封入されており、不使用時に袋体１０が有する吸水性によって袋体１０が水分や湿気を吸収しないようにしている。また、袋体１０は、図３に示すように、その外皮１２は不織布から構成されており、その内部には天然素材からなる粉末体１３であって吸水性を有する粉末を含む粉末体１３が収納されている。
【００２３】
袋体１０の内部に収納される天然素材からなる粉末体１３としては、糖、木質素、大豆粉末、ゲルマニウム、ヨモギ末、クチナシ果実、アサ種子、ナツメ果実、ハッカ、ダイダイ果実、カンゾウ、ショウガ、ベニバナ、ミツカトウを使用することができる。これらの粉末体１３は、天然素材を乾燥させて粉末状にしたものであるから、いずれも吸水性を有するものであるが、最も吸水性を有する重要な粉末は糖である。したがって、前記の粉末の全てを収納することに限られるものではないが、糖を含んでいれば、袋体１０に対して高吸水性が期待できる。
【００２４】
貼着固定シート２０は、外面側が非貼着面２０ｂであり、内面側が貼着面２０ａであって、貼着面２０ａには剥離紙２３が貼着されている。詳細には、貼着固定シート２０は、基材２１と粘着剤２２と剥離紙２３とから構成される。基材２１としてはポリエステルシートを使用し、粘着剤２２としてはアクリル系粘着剤を使用し、剥離紙２３としては上質紙とポリエチレンとシリコーンとの積層シートを使用する。図４は貼着固定シート２０の積層構造を示し、２１ａは基材層、２２ａは粘着剤層、２３ａは剥離紙層をそれぞれ示し、剥離紙層２３ａ中の２３ａａは上質紙層、２３ａｂはポリエチレン層、２３ａｃはシリコーン層をそれぞれ示す。貼着固定シート２０の不使用時には、不必要に貼着できないように貼着面２０ａに剥離紙２３が貼着されているが、使用時には貼着固定シート２０から剥離紙２３を剥がして貼着面２０ａを露出させて使用する。
【００２５】
磁石３０は、袋体１０より小面積であって、薄型の円板状の形態をなす。また、貼着固定シート２０に磁石３０を貼着し、その磁石３０の上から袋体１０を貼着固定シート２０に貼着した状態において、磁石３０が位置するのとは反対側の袋体１０側で測定した磁束密度が４０ミリテスラ以上で１００ミリテスラ以下のものを使用する。ネオジム磁石又はフェライト磁石を使用するのが好適である。
【００２６】
図６及び図７は、図１についておおよそ説明した手順で作成した水分除去シートＡを示す。詳しくは、密閉袋１１から袋体１０を取り出し、貼着固定シート２０から剥離紙２３を剥がし、剥離紙２３を剥がした貼着固定シート２０の貼着面２０ａの内方に磁石３０を貼着し、密閉袋１１から取り出した袋体１０を、磁石３０を挟むようにして、貼着固定シート２０の貼着面２０ａに貼着して水分除去シートＡを作成する。
【００２７】
そして、貼着固定シート２０と袋体１０とにより挟まれている磁石３０は、図７の断面図に示すように、貼着固定シート２０が貼られていない側、すなわち、皮膚に接触する側の袋体１０の表面に磁石３０が露出しない。そればかりでなく、袋体１０に収納されている粉末体１３がクッション材となって、皮膚に接触する側の袋体１０の表面に磁石３０による凸部が生じないため異物感を感じさせないようになっている。
【００２８】
上記のようにして作成した水分除去シートＡを、図７に示すように、袋体１０が貼着されている以外の貼着固定シート２０における貼着面２０ａの外周部２５を使用者の皮膚面Ｂに貼付して、皮膚面に固定する。貼付する箇所としては足裏や肩こりなどのこる部位が適当であり、例えば、睡眠前に足裏に貼付して、睡眠中に足裏から出る汗を水分除去シートＡにおける袋体１０により吸収させれば、さっぱりするので快適な安眠及び起床が期待でき、清潔さが維持できる。また、水分除去シートＡを肩こりなどのこりが生じる場所に貼付すれば、貼着固定シート２０と袋体１０との間に挟まれている磁石３０により血行が改善され、こりをほぐす効果が期待できる。
【００２９】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００３０】
Ａ…………水分除去シート
Ｂ…………身体の皮膚面
１０………袋体
１１………密閉袋
１２………袋体の外皮
１３………粉末体
２０………貼着固定シート
２０ａ……貼着固定シートの貼着面
２０ｂ……貼着固定シートの非貼着面
２１………基材
２１ａ……基材層
２２………粘着剤
２２ａ……粘着剤層
２３………剥離紙
２３ａ……剥離紙層
２３ａａ…上質紙層
２３ａｂ…ポリエチレン層
２３ａｃ…シリコーン層
２５………貼着固定シートの外周部の貼着面
３０………磁石
【図１】
0003221714.tif 000003
【図２】
0003221714.tif 000004
【図３】
0003221714.tif 000005
【図４】
0003221714.tif 000006
【図５】
0003221714.tif 000007
【図６】
0003221714.tif 000008
【図７】
0003221714.tif 000009